(57)【要約】【課題】ビデオカメラやＤＶＤ／ＨＤＤレコーダー等の記録装置において、記憶媒体の空き容量が少なくなっても、例えば決定的瞬間を記録できることを確保する。【解決手段】操作者は、入力画像データの記録に際し、優先度を指定する優先度指定ボタン２０５を押下する。付加情報生成手段２０４は、前記優先度指定ボタン２０５の押下状況に応じて、記録するデータの優先度を例えば「低」、「中」、「高」又は「最高」に設定した付加情報を、その記録するデータに付加して、記憶手段１０１に記録保持する。データの記録開始前又は記録動作中に、残量検出手段１０２により検出される記憶手段１０１の記録可能な残り容量が所定値を下回れば、制御手段１０３は、前記付加情報生成手段２０４により生成された付加情報に基づき、現在記録開始しようとしているデータ又は現在記録中のデータを、優先順位の最も低いデータの記憶されている領域から順に上書きして行く。【選択図】図２
2008204568.tif 000002
【特許請求の範囲】
【請求項１】
任意のデータ及び前記データに対応した付加情報を記録保持する記憶手段と、
前記記憶手段の記録可能な残り容量を検出する残量検出手段と、
前記記憶手段に記録保持されているデータの操作を行う制御手段とを有し、
前記制御手段は、
前記記憶手段へのデータの記録開始前又は記録動作中に、前記残量検出手段により検出される残量が所定値を下回ったとき、前記付加情報に基づき、各々のデータに優先順位を付け、現在記録開始しようとしているデータ又は現在記録中のデータを、優先順位の最も低いデータの記憶されている領域から順に上書していくように前記記憶手段を制御する
ことを特徴とする記録装置。
【請求項２】
前記請求項１記載の記憶装置において、
前記付加情報は、前記データが前記記憶手段に記録された時期であり、
前記制御手段は、
前記データの記録時期に従い優先順位を付け、現在記録開始しようとしているデータ又は現在記録中のデータを、記録時期の最も古いファイルの記憶されている領域、又は記録時期の最も新しいファイルの記憶されている領域に、上書きするように前記記憶手段を制御する
ことを特徴とする記録装置。
【請求項３】
前記請求項１記載の記憶装置において、
前記付加情報は、前記データが前記記憶手段に記録された時期であり、
前記制御手段は、
１つ以上の所定期間内に記録されたデータの中、又は前記１つ以上の所定期間内に記録されたデータ以外のデータの中から、データ記録時期に従い優先順位を付け、現在記録開始しようとしているデータ又は現在記録中のデータを、優先順位の最も低いデータの記憶されている領域に上書きするように、前記記憶手段を制御する
ことを特徴とする記録装置。
【請求項４】
前記請求項１記載の記憶装置において、
前記記憶手段に記録保持される前記付加情報を生成する付加情報生成手段を備え、
前記制御手段は、
前記付加情報生成手段により生成された付加情報に基づき、前記記憶手段に記録保持されたデータに優先順位を付ける
ことを特徴とする記録装置。
【請求項５】
任意のデータ及び前記データに対応した付加情報を記録保持する記憶手段と、
前記記憶手段の記録可能な残り容量を検出する残量検出手段と、
前記記憶手段に記録されているデータの操作を行う制御手段と、
前記データを符号化して前記記憶手段に記録する符号化手段と、
前記記憶手段に記録された符号化データを復号する復号化手段とを有し、
前記制御手段は、
前記記憶手段への前記符号化データの記録開始前又は記録動作中に、前記残量検出手段により検出される残量が所定値を下回ったとき、前記付加情報に基づき、各々の符号化データに優先順位を付け、優先順位の最も低い符号化データを前記復号化手段により復号し、元の符号化データのサイズよりも小さくなるように再度前記符号化手段により符号化して、前記記憶手段へ上書きし、空いた記録領域に対して、現在記録開始しようとしている符号化データ又は現在記録中の符号化データを、記録保持していくように前記記憶手段を制御する
ことを特徴とする記録装置。
【請求項６】
前記請求項５記載の記憶装置において、
前記付加情報は、前記符号化データが前記記憶手段に記録された時期であり、
前記制御手段は、
前記符号化データの記録時期に従い優先順位をつけ、記録時期の最も古い符号化データ、又は記録時期の最も新しい符号化データから、前記復号化手段により復号し、元の符号化データのサイズよりも小さくなるように再度前記符号化手段により符号化して、前記記憶手段へ上書きする
ことを特徴とする記録装置。
【請求項７】
前記請求項５記載の記憶装置において、
前記付加情報は、前記符号化データが前記記憶手段に記録された時期であり、
前記制御手段は、
１つ以上の所定期間内に記録された符号化データの中、又は１つ以上の所定期間内に記録された符号化データ以外の符号化データの中から、データ記録時期に従い優先順位を付け、優先順位の最も低い符号化データを前記復号化手段により復号し、元の符号化データのサイズよりも小さくなるように再度前記符号化手段により符号化して、前記記憶手段へ上書きする
ことを特徴とする記録装置。
【請求項８】
前記請求項５記載の記憶装置において、
前記記憶手段に記録保持される前記付加情報を生成する付加情報生成手段を備え、
前記制御手段は、
前記付加情報生成手段により生成された付加情報に基づき、前記記憶手段に記録保持された符号化データに優先順位を付ける
ことを特徴とする記録装置。
【請求項９】
前記請求項４又は８記載の記録装置において、
優先度を示す一つ以上の優先度ボタンを有し、
前記付加情報生成手段は、
前記一つ以上の優先度ボタンを操作者が押すことにより、その優先度を示す付加情報を生成する
ことを特徴とする記録装置。
【請求項１０】
前記請求項４又は８記載の記録装置において、
前記データに関する情報を解析してキーワードを取得する番組情報取得部を有し、
前記付加情報生成手段は、前記番組情報取得部より得られたキーワードを付加情報として扱い、
前記制御手段は、前記番組情報取得部より得られたキーワードが予め設定した設定キーワードと合致するか否かにより、各々のデータの優先順位に付ける
ことを特徴とする記録装置。
【請求項１１】
前記請求項４又は８記載の記録装置において、
前記データに関する情報を解析してそのデータの視聴率を取得する番組情報取得部を有し、
前記付加情報生成手段は、前記番組情報取得部より得られた視聴率を付加情報として扱い、
前記制御手段は、前記視聴率の高いデータから優先順位を付け、現在記録開始しようとしているデータ又は現在記録中のデータを、優先順位の最も低いデータの記憶されている領域に上書きしていくように、前記記憶手段を制御する
ことを特徴とする記録装置。
【請求項１２】
前記請求項４又は８記載の記録装置において、
前記データに関する情報を解析してスポーツ番組の勝敗結果を取得する番組情報取得部を有し、
前記付加情報生成手段は、前記番組情報取得部より得られたスポーツ番組の勝敗結果を付加情報として扱い、
前記制御手段は、前記スポーツ番組の勝敗結果が予め定めた所定の勝敗結果と合致するか否かにより、各々のデータに優先順位を付ける
ことを特徴とする記録装置。
【請求項１３】
前記請求項４又は８記載の記録装置において、
前記各データの音量レベルを検出する音量レベル検出手段を有し、
前記付加情報生成手段は、前記音量レベル検出手段が検出した音量レベルの最大値を検出し、その音量レベルの最大値を付加情報として生成する
ことを特徴とする記録装置。
【請求項１４】
前記請求項１３記載の記録装置において、
音量レベル検出手段は、
前記記憶手段にデータが記録される際に、そのデータの音量レベルを検出する
ことを特徴とする記録装置。
【請求項１５】
前記請求項１３記載の記録装置において、
前記音量レベル検出手段は、
前記記憶手段よりのデータの読み出しの際に、そのデータから音量レベルを検出する
ことを特徴とする記録装置。
【請求項１６】
前記請求項１３〜１５の何れか１項に記載の記録装置において、
前記付加情報生成手段は、
前記音量レベル検出手段により検出した各データの音量レベルの最大値に基づいて、予め設定した一つ又は複数の音量レベルの閾値により優先順位を決定し、その優先順位を付加情報として生成する
ことを特徴とする記録装置。
【請求項１７】
前記請求項１６に記載の記録装置において、
前記付加情報生成手段において、優先順位を決定する音量レベルの閾値は、外部から設定可能である
ことを特徴とする記録装置。
【請求項１８】
前記請求項１３〜１５の何れか１項に記載の記録装置において、
前記付加情報生成手段は、
更に、前記音量レベル検出手段が検出した音量レベルが所定の音量レベル以上継続する継続時間を計測し、この計測時間を付加情報として生成する
ことを特徴とする記録装置。
【請求項１９】
前記請求項１８に記載の記録装置において、
前記付加情報生成手段は、
前記検出した音量レベルの継続時間に基づいて、予め設定しておいた一つ又は複数の継続時間の閾値により優先順位を決定し、付加情報として生成する
ことを特徴とする記録装置。
【請求項２０】
前記請求項１８に記載の記録装置において、
前記付加情報生成手段において、前記継続時間を測定する音量レベルの閾値は、外部から設定可能である
ことを特徴とする記録装置。
【請求項２１】
前記請求項１９に記載の記録装置において、
前記付加情報生成手段において、優先順位を決定する一つ又は複数の継続時間の閾値は、外部より設定可能である
こととを特徴とする記録装置。
【請求項２２】
前記請求項４又は８記載の記録装置において、
前記付加情報生成手段は、
データのコピー履歴を示す付加情報又はデータが再生されたか否かの履歴を示す付加情報を生成する
ことを特徴とする記録装置。
【請求項２３】
前記請求項５又は８記載の記録装置において、
前記復号化手段により復号された復号化データは、前記符号化手段により、元の復号化前の符号化データのビットレートよりも小さくなるように、再符号化される
ことを特徴とする記録装置。
【請求項２４】
前記請求項５又は８記載の記録装置において、
前記復号化手段により復号された復号化データは、前記符号化手段により、元の復号化前の符号化データの量子化値よりも大きな値で量子化されるように、再符号化される
ことを特徴とする記録装置。
【請求項２５】
前記請求項５又は８記載の記録装置において、
前記復号化手段により復号された復号化データは、前記符号化手段により、元の復号化前の符号化データのキーフレーム間隔よりも大きくなるように、再符号化される
ことを特徴とする記録装置。
【請求項２６】
前記請求項５又は８記載の記録装置において、
前記復号化手段により復号された復号化データは、前記符号化手段により、元の復号化前の符号化データの画像サイズより小さくなるように、再符号化される
ことを特徴とする記録装置。
【請求項２７】
任意のデータを記録保持する第１の記憶手段及び第２の記憶手段と、
前記第１の記憶手段の記録可能な残り容量を検出する残量検出手段と、
前記第１及び第２の記憶手段に記録されている各データの操作を行う制御手段とを有し、
前記制御手段は、
前記第１の記憶手段への前記データの記録開始前又は記録動作中に、前記残量検出手段により検出される残量が所定値を下回ったとき、前記第２の記憶手段へ記録対象を切り替える
ことを特徴とする記録装置。
【請求項２８】
任意のデータ及び前記データに対応した付加情報を記録保持する第１の記憶手段及び第２の記憶手段と、
前記第１の記憶手段の記録可能な残り容量を検出する残量検出手段と、
前記第１及び第２の記憶手段に記録されている各データの操作を行う制御手段とを有し、
前記制御手段は、
前記第１の記憶手段への前記データの記録開始前又は記録動作中に、前記残量検出手段により検出される残量が所定値を下回ったとき、前記第１の記憶手段に記録された付加情報に基いて、前記第１の記憶手段に記憶されている各々のデータに優先順位を付け、優先順位の最も低いデータから順に前記第２の記憶手段へそのデータを移動する
ことを特徴とする記録装置。
【発明の詳細な説明】
【技術分野】
【０００１】
本発明は、データを記憶媒体に記録する記録装置に関するものである。
【背景技術】
【０００２】
近年、テレビ番組を録画するビデオレコーダやデジタルビデオカメラ・デジタルスチルカメラなどで撮影した映像や音声をデジタルデータとして記録する装置として、ＤＶＤメディア・ハードディスク・フラッシュメモリのような半導体蓄積装置が主流となってきている。これらの記録装置の記憶容量は年々大容量化をしているが記録容量は有限であり、記録容量には限界があるため、例えばビデオレコーダでは記録容量が不足すると番組を最後まで記録できないという課題や、デジタルビデオカメラやデジタルスチルカメラでは、決定的瞬間を記録できないという課題があった。
【０００３】
これらの空き容量不足が発生した場合に記録できないという課題を改善するために、特許文献１に記載の発明では、故障対策として二重化されたハードディスクを搭載し、普段はハードディスク故障に備えて二重化して記録しておき、番組を記録する上で十分な記録容量が無い場合は、既に記録されている情報ファイルが二重化記録されているか否かを判別し、二重化記録されている場合には、その二重化記録されている情報ファイルを片方のハードディスクから削除することにより、その片方のハードディスクに番組を記録するために必要な空き容量を確保して、二重化記録を行わずに番組を記録することで番組の記録の失敗を防ぐようにしている。
【特許文献１】特開２００５−２５１３４４号公報
【発明の開示】
【発明が解決しようとする課題】
【０００４】
しかしながら、前記従来技術では、記録容量が不足した状態が継続して発生した場合は、二重化されて記録した情報ファイルの片方を削除して空き容量を確保し、この確保した片方の情報ファイルに対して番組の記録を実行し続けるものの、この片方の情報ファイルの空き容量が無くなれば、もはや削除可能な情報ファイルが存在しなくなり、それ以上の記録容量の確保ができなくなってしまい、このような状況になると、現在記録中又は記録しようとしているデータを記録し損ねるという課題が発生する。
【０００５】
また、前記従来技術では、ハードディスクが二重化されているために、常に複数のハードディスクが必要となり、コストが非常にかかってしまう欠点がある。
【０００６】
本発明は、前記課題を解決するためになされたものであり、その目的は、容量不足に起因して、現在記録中又は記録しようとしているデータを記録し損ねることを確実に防ぐことができる記録装置を提供するにある。
【課題を解決するための手段】
【０００７】
前記の目的を達成するため、本発明では、既に記録保持されたデータの一部を削除したり、データ圧縮して保存し直したり、他の記録メディアにデータを退避して、既存の記憶媒体に空き容量を常に確保することとする。
【０００８】
具体的に、請求項１記載の発明の記録装置は、任意のデータ及び前記データに対応した付加情報を記録保持する記憶手段と、前記記憶手段の記録可能な残り容量を検出する残量検出手段と、前記記憶手段に記録保持されているデータの操作を行う制御手段とを有し、前記制御手段は、前記記憶手段へのデータの記録開始前又は記録動作中に、前記残量検出手段により検出される残量が所定値を下回ったとき、前記付加情報に基づき、各々のデータに優先順位を付け、現在記録開始しようとしているデータ又は現在記録中のデータを、優先順位の最も低いデータの記憶されている領域から順に上書していくように前記記憶手段を制御することを特徴とする。
【０００９】
請求項２記載の発明は、前記請求項１記載の記憶装置において、前記付加情報は、前記データが前記記憶手段に記録された時期であり、前記制御手段は、前記データの記録時期に従い優先順位を付け、現在記録開始しようとしているデータ又は現在記録中のデータを、記録時期の最も古いファイルの記憶されている領域、又は記録時期の最も新しいファイルの記憶されている領域に、上書きするように前記記憶手段を制御することを特徴とする。
【００１０】
請求項３記載の発明は、前記請求項１記載の記憶装置において、前記付加情報は、前記データが前記記憶手段に記録された時期であり、前記制御手段は、１つ以上の所定期間内に記録されたデータの中、又は前記１つ以上の所定期間内に記録されたデータ以外のデータの中から、データ記録時期に従い優先順位を付け、現在記録開始しようとしているデータ又は現在記録中のデータを、優先順位の最も低いデータの記憶されている領域に上書きするように、前記記憶手段を制御することを特徴とする。
【００１１】
請求項４記載の発明は、前記請求項１記載の記憶装置において、前記記憶手段に記録保持される前記付加情報を生成する付加情報生成手段を備え、前記制御手段は、前記付加情報生成手段により生成された付加情報に基づき、前記記憶手段に記録保持されたデータに優先順位を付けることを特徴とする。
【００１２】
請求項５記載の発明の記録装置は、任意のデータ及び前記データに対応した付加情報を記録保持する記憶手段と、前記記憶手段の記録可能な残り容量を検出する残量検出手段と、前記記憶手段に記録されているデータの操作を行う制御手段と、前記データを符号化して前記記憶手段に記録する符号化手段と、前記記憶手段に記録された符号化データを復号する復号化手段とを有し、前記制御手段は、前記記憶手段への前記符号化データの記録開始前又は記録動作中に、前記残量検出手段により検出される残量が所定値を下回ったとき、前記付加情報に基づき、各々の符号化データに優先順位を付け、優先順位の最も低い符号化データを前記復号化手段により復号し、元の符号化データのサイズよりも小さくなるように再度前記符号化手段により符号化して、前記記憶手段へ上書きし、空いた記録領域に対して、現在記録開始しようとしている符号化データ又は現在記録中の符号化データを、記録保持していくように前記記憶手段を制御することを特徴とする。
【００１３】
請求項６記載の発明は、前記請求項５記載の記憶装置において、前記付加情報は、前記符号化データが前記記憶手段に記録された時期であり、前記制御手段は、前記符号化データの記録時期に従い優先順位をつけ、記録時期の最も古い符号化データ、又は記録時期の最も新しい符号化データから、前記復号化手段により復号し、元の符号化データのサイズよりも小さくなるように再度前記符号化手段により符号化して、前記記憶手段へ上書きすることを特徴とする。
【００１４】
請求項７記載の発明は、前記請求項５記載の記憶装置において、前記付加情報は、前記符号化データが前記記憶手段に記録された時期であり、前記制御手段は、１つ以上の所定期間内に記録された符号化データの中、又は１つ以上の所定期間内に記録された符号化データ以外の符号化データの中から、データ記録時期に従い優先順位を付け、優先順位の最も低い符号化データを前記復号化手段により復号し、元の符号化データのサイズよりも小さくなるように再度前記符号化手段により符号化して、前記記憶手段へ上書きすることを特徴とする。
【００１５】
請求項８記載の発明は、前記請求項５記載の記憶装置において、前記記憶手段に記録保持される前記付加情報を生成する付加情報生成手段を備え、前記制御手段は、前記付加情報生成手段により生成された付加情報に基づき、前記記憶手段に記録保持された符号化データに優先順位を付けることを特徴とする。
【００１６】
請求項９記載の発明は、前記請求項４又は８記載の記録装置において、優先度を示す一つ以上の優先度ボタンを有し、前記付加情報生成手段は、前記一つ以上の優先度ボタンを操作者が押すことにより、その優先度を示す付加情報を生成することを特徴とする。
【００１７】
請求項１０記載の発明は、前記請求項４又は８記載の記録装置において、前記データに関する情報を解析してキーワードを取得する番組情報取得部を有し、前記付加情報生成手段は、前記番組情報取得部より得られたキーワードを付加情報として扱い、前記制御手段は、前記番組情報取得部より得られたキーワードが予め設定した設定キーワードと合致するか否かにより、各々のデータの優先順位に付けることを特徴とする。
【００１８】
請求項１１記載の発明は、前記請求項４又は８記載の記録装置において、前記データに関する情報を解析してそのデータの視聴率を取得する番組情報取得部を有し、前記付加情報生成手段は、前記番組情報取得部より得られた視聴率を付加情報として扱い、前記制御手段は、前記視聴率の高いデータから優先順位を付け、現在記録開始しようとしているデータ又は現在記録中のデータを、優先順位の最も低いデータの記憶されている領域に上書きしていくように、前記記憶手段を制御することを特徴とする。
【００１９】
請求項１２記載の発明は、前記請求項４又は８記載の記録装置において、前記データに関する情報を解析してスポーツ番組の勝敗結果を取得する番組情報取得部を有し、前記付加情報生成手段は、前記番組情報取得部より得られたスポーツ番組の勝敗結果を付加情報として扱い、前記制御手段は、前記スポーツ番組の勝敗結果が予め定めた所定の勝敗結果と合致するか否かにより、各々のデータに優先順位を付けることを特徴とする。
【００２０】
請求項１３記載の発明は、前記請求項４又は８記載の記録装置において、前記各データの音量レベルを検出する音量レベル検出手段を有し、前記付加情報生成手段は、前記音量レベル検出手段が検出した音量レベルの最大値を検出し、その音量レベルの最大値を付加情報として生成することを特徴とする。
【００２１】
請求項１４記載の発明は、前記請求項１３記載の記録装置において、音量レベル検出手段は、前記記憶手段にデータが記録される際に、そのデータの音量レベルを検出することを特徴とする。
【００２２】
請求項１５記載の発明は、前記請求項１３記載の記録装置において、前記音量レベル検出手段は、前記記憶手段よりのデータの読み出しの際に、そのデータから音量レベルを検出することを特徴とする。
【００２３】
請求項１６記載の発明は、前記請求項１３〜１５の何れか１項に記載の記録装置において、前記付加情報生成手段は、前記音量レベル検出手段により検出した各データの音量レベルの最大値に基づいて、予め設定した一つ又は複数の音量レベルの閾値により優先順位を決定し、その優先順位を付加情報として生成することを特徴とする。
【００２４】
請求項１７記載の発明は、前記請求項１６に記載の記録装置において、前記付加情報生成手段において、優先順位を決定する音量レベルの閾値は、外部から設定可能であることを特徴とする。
【００２５】
請求項１８記載の発明は、前記請求項１３〜１５の何れか１項に記載の記録装置において、前記付加情報生成手段は、更に、前記音量レベル検出手段が検出した音量レベルが所定の音量レベル以上継続する継続時間を計測し、この計測時間を付加情報として生成することを特徴とする。
【００２６】
請求項１９記載の発明は、前記請求項１８に記載の記録装置において、前記付加情報生成手段は、前記検出した音量レベルの継続時間に基づいて、予め設定しておいた一つ又は複数の継続時間の閾値により優先順位を決定し、付加情報として生成することを特徴とする。
【００２７】
請求項２０記載の発明は、前記請求項１８に記載の記録装置において、前記付加情報生成手段において、前記継続時間を測定する音量レベルの閾値は、外部から設定可能であることを特徴とする。
【００２８】
請求項２１記載の発明は、前記請求項１９に記載の記録装置において、前記付加情報生成手段において、優先順位を決定する一つ又は複数の継続時間の閾値は、外部より設定可能であることとを特徴とする。
【００２９】
請求項２２記載の発明は、前記請求項４又は８記載の記録装置において、前記付加情報生成手段は、データのコピー履歴を示す付加情報又はデータが再生されたか否かの履歴を示す付加情報を生成することを特徴とする。
【００３０】
請求項２３記載の発明は、前記請求項５又は８記載の記録装置において、前記復号化手段により復号された復号化データは、前記符号化手段により、元の復号化前の符号化データのビットレートよりも小さくなるように、再符号化されることを特徴とする。
【００３１】
請求項２４記載の発明は、前記請求項５又は８記載の記録装置において、前記復号化手段により復号された復号化データは、前記符号化手段により、元の復号化前の符号化データの量子化値よりも大きな値で量子化されるように、再符号化されることを特徴とする。
【００３２】
請求項２５記載の発明は、前記請求項５又は８記載の記録装置において、前記復号化手段により復号された復号化データは、前記符号化手段により、元の復号化前の符号化データのキーフレーム間隔よりも大きくなるように、再符号化されることを特徴とする。
【００３３】
請求項２６記載の発明は、前記請求項５又は８記載の記録装置において、前記復号化手段により復号された復号化データは、前記符号化手段により、元の復号化前の符号化データの画像サイズより小さくなるように、再符号化されることを特徴とする。
【００３４】
請求項２７記載の発明の記録装置は、任意のデータを記録保持する第１の記憶手段及び第２の記憶手段と、前記第１の記憶手段の記録可能な残り容量を検出する残量検出手段と、前記第１及び第２の記憶手段に記録されている各データの操作を行う制御手段とを有し、前記制御手段は、前記第１の記憶手段への前記データの記録開始前又は記録動作中に、前記残量検出手段により検出される残量が所定値を下回ったとき、前記第２の記憶手段へ記録対象を切り替えることを特徴とする。
【００３５】
請求項２８記載の発明の記録装置は、任意のデータ及び前記データに対応した付加情報を記録保持する第１の記憶手段及び第２の記憶手段と、前記第１の記憶手段の記録可能な残り容量を検出する残量検出手段と、前記第１及び第２の記憶手段に記録されている各データの操作を行う制御手段とを有し、前記制御手段は、前記第１の記憶手段への前記データの記録開始前又は記録動作中に、前記残量検出手段により検出される残量が所定値を下回ったとき、前記第１の記憶手段に記録された付加情報に基いて、前記第１の記憶手段に記憶されている各々のデータに優先順位を付け、優先順位の最も低いデータから順に前記第２の記憶手段へそのデータを移動することを特徴とする。
【００３６】
以上により、請求項１〜２８記載の記録装置では、記憶手段の記憶容量不足が生じている状況になると、既に記憶手段に記録保持したデータの一部を優先順に、上書きしたり、データ圧縮して空き容量を作ったり、他の記憶媒体に記録し直したりするので、現在記録中又は記録しようとしているデータを確実に記録できて、記録し損ねることを防ぐことが可能である。
【発明の効果】
【００３７】
以上説明したように、請求項１〜２８記載の発明によれば、有限な記憶容量を有する記憶手段に対して、継続して記録可能な記憶領域を確保できるので、空き容量不足が発生した場合にデータを記録し損ねることを低コストにて防ぐことができる。
【００３８】
例えば、画像や映像を記録するカメラ装置やムービー装置では、記憶手段の空き容量が少なくなっている状態で、決定的瞬間の記録のような、とっさの画像記録の必要性が発生した場合に、現在記録中又は記録しようとしている画像データの記録を最優先する場合に非常に有効である。
【００３９】
また、画像や映像を記録するレコーダー装置でも、録画予約していない現在放送中の番組において決定的瞬間の録画ような、とっさの画像記録の必要性が発生した場合に、現在録画しようとしている番組の記録を最優先する場合に非常に有効である。
【発明を実施するための最良の形態】
【００４０】
以下、本発明の実施形態を図面に基づいて説明する。
【００４１】
（実施形態１）
以下、本発明の実施形態１について、図１を用いて説明する。
【００４２】
図１は、本発明の実施形態１における記録装置の構成を示す。本実施形態１の記録装置１００は、例えば、画像や映像を記録するカメラ装置、ムービー装置、レコーダー装置であって、入力されたデータを記憶する記憶手段１０１と、前記記憶手段１０１のデータ保存のための空き容量を検出して残量情報を生成する残量検出手段１０２と、前記記憶手段１０１に記録されているファイルの操作を行う制御手段１０３とを有している。
【００４３】
前記記憶手段１０１には、入力されたデータと、その入力データに対する付加情報とが記憶される。本実施形態では、データとしては画像データ、付加情報としては前記画像データの記録時期（タイムスタンプ）が記憶されている。
【００４４】
このように構成された本発明の実施形態１の記録装置について、その動作を説明する。記録装置１００に入力された画像データは、タイムスタンプと共に、前記記憶手段１０１にファイルとして格納されるが、前記残量検出手段１０２にて検出される前記記憶手段１０１の残り容量が予め設定した所定値を下回ると、前記制御手段１０３は、既に記憶されている画像データの中から前記タイムスタンプに基づき、優先順位付けを行い、一番タイムスタンプの古い画像データを削除して空き容量を確保し、入力されている画像データの記録保存用に割り当てる。
【００４５】
例えば、図１における画像データＡ〜Ｄの４つのファイルについて、現在記録中又は記録しようとしている画像データを画像データＤ、既に記録されている画像データを画像データＡ〜Ｃとする。画像データＡ〜Ｃについては、画像データＡが記録された時期が一番古く、画像データＢが二番目に古く、画像データＣが一番新しい画像データであるとする。この場合は、画像データＤの記録のために、一番古い画像データＡを削除し、画像データＤを記録する。画像データＡを削除しても、まだ画像データＤの記録に必要な空き容量が足りない場合は、二番目に古い画像データＢを削除する。
【００４６】
以上のように、本実施形態１によれば、現在画像データを記録中又は記録しようとしている時に、前記記憶手段１０１の書き込み可能な残り容量が少なくなると、前記制御手段１０３により、付加情報として記録されているタイムスタンプを用い、古い画像データから自動的に削除し、現在記録中又は記録しようとしている画像ファイルを上書きして行くように前記記憶手段１０１を制御するようにしたので、継続的に空き容量を確保できるようになる。その結果、容量不足により現在記録中又は記録しようとしている画像データを記録し損ねることを防ぐことが可能になる。
【００４７】
これは、例えば、画像や映像を記録するカメラ装置やムービー装置では、そのユーザーにとって、古い時期に記録された画像データは、既に一度は見たことがあって不要になっていたり、別のメディアに保存用としてコピーされている確率が高い場合に、記憶手段１０１の空き容量が少なくなっている状態で、決定的瞬間の記録のような、とっさの画像記録の必要性が発生した場合に、現在記録中又は記録しようとしている画像データの記録を最優先する場合に非常に有効である。
【００４８】
また、画像や映像を記録するレコーダー装置でも、同様にそのユーザーにとって、古い時期に記録された画像データは、既に一度は見たことがあって不要になっていたり、別のメディアに保存用としてコピーされている確率が高い場合に、記憶手段１０１の空き容量が少なくなっている状態で、録画予約していない現在放送中の番組において決定的瞬間の録画ような、とっさの画像記録の必要性が発生した場合に、現在録画しようとしている番組の記録を最優先する場合に非常に有効である。
【００４９】
尚、本実施形態における画像データは、動画や静止画を問わず有効である。また、本実施形態は、一番古いタイムスタンプから削除していく場合について述べたが、一番新しいタイムスタンプの画像データから順番に削除して行くようにしても良い。
【００５０】
更に、ユーザーが１つ又は幾つか指定した所定期間内に記録された画像データを優先的に古い順又は新しい順に削除して行くようにしても良いし、前記ユーザーが１つ又は幾つか指定した所定期間内に記録された画像データは保護し、それ以外の画像データについて優先的に古い順又は新しい順に削除して行くようにしても良い。このようにすれば、予め保存しておきたい又は削除しても良いデータの記録時期を操作者が所定期間の指定によって特定すると、この所定期間のデータ又はこの所定期間以外のデータを古い又は新しい順に削除できるので、ユーザーが保存し続けておいたいと望むデータを強制的に削除することがなくなる。
【００５１】
また、記憶手段１０１内のファイルを削除して空き容量を確保するタイミングは、記憶手段１０１の残り容量が所定値より小さくなった時点であるので、新たな画像データの記録前でも、記録途中でも良いことは言うまでもない。
【００５２】
（実施形態２）
以下、本発明の実施形態２について、図２を用いて説明する。
【００５３】
本実施形態２を示す図２において、本発明の実施形態１と同じ部分は同一の名称及び符号を付け、その詳細な動作の説明は省略する。
【００５４】
図２は、本発明の実施形態２における記録装置の構成である。本実施形態２の記録装置２００は、例えば、画像や映像を記録するカメラ装置、ムービー装置、レコーダー装置であって、記憶手段１０１と、残量検出手段１０２と、制御手段２０３と、外部からの情報に基づき付加情報を生成する付加情報生成手段２０４と、ユーザーが優先度を指定する際に押下する優先度指定ボタン（優先度ボタン）２０５とを有している。
【００５５】
このように構成された本発明の実施形態２の記録装置について、その動作を説明する。
【００５６】
前記記録装置２００の記憶手段１０１には、入力される画像データが記録保存されると共に、ユーザー（操作者）により押下される優先度指定ボタン２０５により指定される優先度が、前記付加情報生成手段２０４により付加情報として書き込まれる。
【００５７】
前記残量検出手段１０２にて検出される前記記憶手段１０１の残り容量が所定値より小さくなると、前記制御手段２０３は、記憶手段１０１内に既に記憶されている画像データの中から、前記付加情報生成手段２０４により、各画像データに付与された前記優先度に基づき、優先順位付けを行い、優先度の低い画像データを削除して空き容量を確保し、入力されている画像データの記録用に割り当てる。
【００５８】
例えば、図２における画像データＡ〜Ｄの４つのファイルについて、現在記録中又は記録しようとしている画像データを画像データをＤ、既に記録されている画像データを画像データＡ〜Ｃとする。画像データＡには優先度として「低」、画像データＢには優先度が「中」、画像データＣには優先度が「高」、画像データＤは現在記録中又は記録しようとしている画像データであるので、最も高い優先度である「最高」が指定されている。この場合、画像データＤの記録のために、最も優先度の低い画像データＡを削除し、画像データＤを記録する。画像データＡを削除しても、まだ画像データＤの記録に必要な空き容量が足りない場合は、二番目に優先度の低い画像データＢを削除する。
【００５９】
以上のように、本実施形態２によれば、現在画像データを記録中又は記録しようとしている時に、前記記憶手段１０１の書き込み可能な残り容量が少なくなると、前記制御手段２０３により、付加情報として記録されている優先度を用い、優先度の低い画像データから自動的に削除し、現在記録中又は記録しようとしている画像ファイルを上書きして行くように前記記憶手段１０１を制御するようにしたので、記憶手段１０１に継続的に空き容量を確保できるようになり、この結果、容量不足により現在記録中又は記録しようとしている画像データを記録し損ねることを防ぐことが可能になる。
【００６０】
これは、例えば、画像や映像を記録するカメラ装置やムービー装置では、ユーザーが、撮っているシーンに応じて、記録装置２００に設けられた一つ又は複数の優先度指定ボタン２０５を押しながら撮影することにより、予め優先度を付けておき、記憶手段１０１の空き容量が少なくなっている状態で、決定的瞬間の記録ようなとっさの画像記録が発生した場合には、過去に撮影したが優先度があまり高くないシーンのデータを削除し、現在記録中又は記録しようとしている画像データの記録を最優先する場合に非常に有効である。
【００６１】
また、画像や映像を記録するレコーダー装置では、テレビ番組の録画又は録画予約時に、ユーザーが機器に設けられた一つ又は複数の優先度ボタンを押して予め優先度を付けておき、記憶手段１０１の空き容量が少なくなっている状態で、録画予約していない現在放送中の番組において決定的瞬間の録画ような、とっさの画像記録の必要性が発生した場合には、過去に録画したが優先度があまり高くない番組を削除し、現在録画しようとしている番組の記録を最優先する場合に非常に有効である。
【００６２】
尚、本実施形態における画像データは動画、静止画を問わず有効である。また、本実施形態は、画像記録時に優先度指定ボタン２０５を押下して優先度を指定する場合について述べたが、記録された画像の再生時に優先度指定ボタン２０５を押下して優先度を指定しても良い。
【００６３】
また、ファイルを削除して空き容量を確保するタイミングは、記憶手段１０１の残り容量が所定値より小さくなった時点であるので、新たな画像データの記録前でも、記録途中でも良いことは言うまでもない。
【００６４】
（実施形態３）
以下、本発明の実施形態３について、図３を用いて説明する。
【００６５】
本実施形態３を示す図３において、本発明の実施形態２と同じ部分は同一の名称及び符号を付け、その詳細な動作の説明は省略する。
【００６６】
図３は、本発明の実施形態３における記録装置の構成を示す。本実施形態３の記録装置３００は、例えば、画像や映像を記録するカメラ装置、ムービー装置、レコーダー装置であって、記憶手段１０１と、残量検出手段１０２と、入力されたデータに関する情報を入力する情報入力端子３０６と、前記情報入力端子３０６又は入力されたデータから必要な情報を取得する番組情報取得部３０５と、前記番組情報取得部３０５からの情報に基づき付加情報を生成する付加情報生成手段３０４と、前記付加情報生成手段３０４により付加された情報に基づき、前記記憶手段１０１に記録されているファイルの操作を行う制御手段３０３とを有している。
【００６７】
このように構成された本発明の実施形態３の記録装置について、その動作を説明する。
【００６８】
前記記録装置３００の前記記憶手段１０１には、入力される画像データが記録されると共に、前記番組情報取得部３０５により取得された前記画像データに関連した情報が前記付加情報生成手段３０４により付加情報として書き込まれる。
【００６９】
前記残量検出手段１０２にて検出される記憶手段１０１の残り容量が所定値を下回ると、前記制御手段３０３は、既に記憶されている画像データの中から、前記付加情報生成手段３０４により各画像データに付与された情報に基づき、優先順位付けを行い、優先度の低い画像データを削除して空き容量を確保し、入力されている画像データの保存用にに割り当てる。
【００７０】
例えば、図３における画像データＡ〜Ｃの３つのファイルについて、現在記録中又は記録しようとしている画像データを画像データをＣ、既に記録されている画像データを画像データＡ及び画像データＢとする。画像データＡ及び画像データＢの記録時には、前記情報入力端子３０６から画像データＡ及び画像データＢに関する情報が前記番組情報取得部３０５に入力される。具体的には、データ放送やインターネット接続等により得られるＥＰＧ（電子番組表）などの情報である。前記番組情報取得部３０５では、前記情報入力端子３０６から入力された情報を解析して「キーワード」を取得し、前記付加情報生成手段３０４により、付加情報として前記記憶手段１０１に記録される。
【００７１】
本実施形態で説明する図３では、キーワード情報として、画像データＡには「音楽」、画像データＢには「映画」が取得され、記録されている。「キーワード」の優先順位としては、予め操作者が、スポーツ＞映画＞音楽の順を指定しており、この優先度に基づいて前記制御手段３０３はファイル操作を行う。
【００７２】
この場合、画像データＣの記録のために、最も優先度の低い画像データＡを削除し、この削除領域に画像データＣを記録する。画像データＡを削除しても、まだ画像データＣの記録に必要な空き容量が足りない場合は、二番目に優先度の低い画像データＢを削除する。
【００７３】
以上のように、本実施形態３によれば、現在画像データを記録中又は記録しようとしている時に、前記記憶手段１０１の書き込み可能な残り容量が少なくなると、前記制御手段３０３により、付加情報として記録されている優先度を用い、優先度の低い画像データから自動的に削除し、現在記録中又は記録しようとしている画像ファイルを上書きして行くように前記記憶手段１０１を制御するようにしたので、継続的に空き容量を確保できるようになる。その結果、容量不足により現在記録中又は記録しようとしている画像データを記録し損ねることを防ぐことが可能になる。
【００７４】
これは、例えば、画像や映像を記録するレコーダー装置では、テレビ番組の録画又は録画予約時に、ユーザーが、機器に設けられた一つ又は複数の選択項目（キーワード）を優先度として予め設定しておき、記憶手段１０１の空き容量が少なくなっている状態で、録画予約していない現在放送中の番組において決定的瞬間の録画ような、とっさの画像記録の必要性が発生した場合には、過去に録画したが優先度があまり高くない番組を削除し、現在録画しようとしている番組の記録を最優先する場合に非常に有効である。
【００７５】
尚、本実施形態における画像データは動画、静止画を問わず有効である。また、本実施形態では、前記番組情報取得部３０５は、前記情報入力端子３０６からの情報を解析、取得するとしたが、入力データ中に含まれる情報（ＶＢＩなど）を用いても良い。
【００７６】
また、本実施形態では、前記番組情報取得部３０５は、前記情報入力端子３０６から得られる情報の中から「キーワード」を選択し、付加情報としたが、「視聴率」や「勝敗結果」、その他の情報を選択し、付加情報としても良い。更に、何を選択するかは、外部から設定されても良い。
【００７７】
加えて、ファイルを削除して空き容量を確保するタイミングは、記憶手段１０１の残り容量が所定値より小さくなった時点であるので、新たな画像データの記録前でも、記録途中でも良いことは言うまでもない。
【００７８】
また、本実施形態では、前記制御手段３０３ので優先順位を、スポーツ＞映画＞音楽と指定された順としたが、この指定は外部から行っても良い。
【００７９】
更に、本実施形態では、前記付加情報生成手段３０４から付加情報が出力されるのは、前記画像データが記憶手段１０１に記憶される時としたが、前記付加情報生成手段３０４から出力される付加情報は、適時更新し記録されても良い。
【００８０】
（実施形態４）
以下、本発明の実施形態４について、図４を用いて説明する。
【００８１】
本実施形態４を示す図４において、本発明の実施形態２と同じ部分は同一の名称及び符号を付け、その詳細な動作の説明は省略する。
【００８２】
図４は、本発明の実施形態４における記録装置の構成である。本実施形態４の記録装置４００は、例えば、画像や映像を記録するカメラ装置、ムービー装置、レコーダー装置であって、記憶手段１０１と、残量検出手段１０２と、制御手段４０３と、外部からの情報に基づき付加情報を生成する付加情報生成手段４０４と、入力されたデータの音量レベルを検出する音量レベル検出手段４０５とを有している。
【００８３】
このように構成された本発明の実施形態４の記録装置について、その動作を説明する。
【００８４】
前記記録装置４００の前記記憶手段１０１には、入力されるデータが記録保存されると共に、入力されたデータの音量レベルを検出する音量レベル検出手段４０５により音量レベルが検出され、前記付加情報生成手段４０４により音量レベルの最大値が付加情報として、その入力データと共に記憶手段１０１に書き込み記録される。
【００８５】
前記残量検出手段１０２にて検出される前記記憶手段１０１の残り容量が所定値より小さくなると、前記制御手段４０３は、既に記憶されているデータの中から前記付加情報生成手段４０４により各データに付与された音量レベルの最大値に基づき、優先順位付けを行い、優先度の低いデータを削除して空き容量を確保し、入力されているデータの保存用に割り当てる。
【００８６】
例えば、図４におけるデータＡ〜Ｄの４つのファイルについて、現在記録中又は記録しようとしているデータをデータＤ、既に記録されているデータをデータＡ〜Ｃとする。データＡにはデータＡの音量レベルの最大値「ＭａｘＡ」、データＢには「ＭａｘＢ」、データＣには「ＭａｘＣ」、データＤは現在記録中又は記録しようとしているデータの音量レベルの最大値「ＭａｘＤ」とする。
【００８７】
各音量レベルには、ＭａｘＡ＜ＭａｘＢ＜ＭａｘＣの関係があるとする。データＤの音量レベルの最大値は記録中には確定していないため付与されていない。制御手段４０３は、例えば音声レベルの低いものほど優先順位を低いデータとして優先順位を決定し、データの削除を実行する。
【００８８】
この場合、データＤの記録のために、最も音声レベルの低い優先度の低いデータＡを削除し、データＤを記録する。データＡを削除しても、まだデータＤの記録に必要な空き容量が足りない場合は、二番目に優先度の低いデータＢを削除する。
【００８９】
以上のように、本実施形態４によれば、現在画像データを記録中又は記録しようとしている時に、前記記憶手段１０１の書き込み可能な残り容量が少なくなると、前記制御手段４０３により、付加情報として記録されている優先度を用い、優先度の低いデータから自動的に削除し、現在記録中又は記録しようとしている画像ファイルを上書きして行くように前記記憶手段１０１を制御するようにしたので、継続的に空き容量を確保できるようになる。その結果、容量不足により現在記録中又は記録しようとしているデータを記録し損ねることを防ぐことが可能になる。
【００９０】
これは、例えば、画像や映像を記録するカメラ装置やムービー装置では、決定的シーンにおいては、観客の大きな歓声が生じ、記録される音量レベルが大きくなることが推測される。このように音量レベルに応じて優先度を付けておき、記憶手段１０１の空き容量が少なくなっている状態で、決定的瞬間の記録のようなとっさの画像記録が発生した場合には、過去に撮影したが優先度があまり高くないシーンを削除し、現在記録中又は記録しようとしている画像データの記録を最優先する場合に非常に有効である。
【００９１】
また、画像や映像を記録するレコーダー装置では、テレビ番組の録画又は再生時に、音量レベルの最大値により優先順位を付加しておき、記憶手段１０１の空き容量が少なくなっている状態で、録画予約していない現在放送中の番組において決定的瞬間の録画のような、とっさの画像記録の必要性が発生した場合には、過去に録画したが優先度があまり高くない番組を削除し、現在録画しようとしている番組の記録を最優先する場合に非常に有効である。
【００９２】
尚、本実施形態におけるデータは動画、静止画、を問わず音声を含むデータに有効である、勿論、音声のみのファイルでも良い。
【００９３】
更に、本実施形態は、データ記録時に音量レベルを検出し、最大値を付与する方法について述べたが、記憶手段１０１に記録されたデータの読み出し再生時に、その読み出しデータの音量レベルを検出し、最大値を付与しても良い。
【００９４】
加えて、本実施形態は、検出した音量レベルの最大値を付与する方法について述べたが、所定の音量レベル以上が継続する時間を計測し、その計測時間を付加情報として生成し、継続時間が短いデータから削除しても良い。
【００９５】
また、付加情報生成手段４０４では、検出された音量レベルの最大値や計測された時間を付加情報として生成したが、予め設定した１つ又は複数の音量レベル又は計測時間に応じて予め優先順位を生成して付与しても良い。
【００９６】
勿論、所定の音量レベルや計測時間は外部より設定しても良いことはいうまでもない。
【００９７】
また、ファイルを削除して空き容量を確保するタイミングは、記憶手段１０１の残り容量が所定値より小さくなった時点であるので、新たな画像データの記録前でも、記録途中でも良いことは言うまでもない。
【００９８】
（実施形態５）
以下、本発明の実施形態５について、図５を用いて説明する。
【００９９】
本実施形態５を示す図５において、本発明の実施形態１と同じ部分は同一の名称及び符号を付け、その詳細な動作の説明は省略する。
【０１００】
図５は、本発明の実施形態５における記録装置の構成である。本実施形態５の記録装置５００は、例えば、画像や映像を記録するカメラ装置、ムービー装置、レコーダー装置であって、記憶手段１０１と、残量検出手段１０２と、制御手段５０３と、外部からの情報に基づき付加情報を生成する付加情報生成手段５０４と、前記記憶手段１０１のデータをコピーできるコピー媒体５０７とを有している。
【０１０１】
このように構成された本発明の実施形態５の記録装置について、その動作を説明する。
【０１０２】
前記記録装置５００の記憶手段１０１には、入力されるデータが書き込まれる。前記記憶手段１０１に記憶されているデータをコピー媒体５０７へコピーすると、前記付加情報生成手段２０４により付加情報としてコピー履歴「有」が書き込まれる。前記残量検出手段１０２にて検出される前記記憶手段１０１の残り容量が所定値より小さくなると、前記制御手段５０３は、既に記憶されている画像データの中から、前記付加情報生成手段２０４により各データに付与された前記コピー履歴の付与されたデータを削除して空き容量を確保し、入力されている画像データの保存用に割り当てる。
【０１０３】
例えば、図５における画像データＡ〜Ｄの４つのファイルについて、現在記録中又は記録しようとしているデータをデータＤ、既に記録されているデータをデータＡ〜Ｃとする。データＢにはコピー履歴があり、その他のデータＡ、Ｃについてはコピー履歴が無い。この場合、画像データＤの記録のために、コピー履歴のあるデータＢを削除し、この削除領域に画像データＤを記録する。
【０１０４】
以上のように、本実施形態５によれば、現在画像データを記録中又は記録しようとしている時に、前記記憶手段１０１の書き込み可能な残り容量が少なくなると、前記制御手段５０３により、付加情報としてコピー履歴が付与されているデータを自動的に削除し、現在記録中又は記録しようとしている画像ファイルを上書きして行くように前記記憶手段１０１を制御するようにしたので、継続的に空き容量を確保できるようになる。その結果、容量不足により現在記録中又は記録しようとしている画像データを記録し損ねることを防ぐことが可能になる。
【０１０５】
これは、例えば、画像や映像を記録するカメラ装置やムービー装置では、ユーザーが撮影中に、記憶手段の空き容量が少なくなっている状態で、決定的瞬間の記録ようなとっさの画像記録が発生した場合には、過去に保存用途などで別媒体にコピーしたことがあるデータを削除し、現在記録中又は記録しようとしている画像データの記録を最優先する場合に非常に有効である。
【０１０６】
また、画像や映像を記録するレコーダー装置では、テレビ番組の録画又は録画予約時に、記憶手段１０１の空き容量が少なくなっている状態で、録画予約していない現在放送中の番組において決定的瞬間の録画ような、とっさの画像記録の必要性が発生した場合には、過去に保存用途などで別媒体５０７にコピーしたことがある番組を削除し、現在録画しようとしている番組の記録を最優先する場合に非常に有効である。
【０１０７】
尚、本実施形態におけるデータは動画、静止画を問わず有効である。また、データを削除して容量を確保するタイミングは、記憶手段１０１の残り容量が所定値より小さくなった時点であるので、新たな画像データの記録前でも、記録途中でも良いことは言うまでもない。
【０１０８】
また、本実施形態では、コピー履歴「無」、「有」の付加情報を生成したが、生成する付加情報は、これに限定されず、例えばデータが再生されたか否かの履歴を示す再生履歴「無」、「有」の付加情報であっても良い。
【０１０９】
（実施形態６）
以下、本発明の実施形態６について、図６を用いて説明する。
【０１１０】
図６は、本発明の実施形態６における記録装置の構成である。本実施形態６の記録装置１００は、例えば、画像や映像を記録するカメラ装置、ムービー装置、レコーダー装置であって、入力されたデータを記憶する記憶手段１０１と、前記記憶手段１０１の空き容量を検出して残量情報を生成する残量検出手段１０２と、前記記憶手段１０１に記録されているファイルの操作を行う制御手段１０３と、入力されるデータを符号化して記憶手段１０１に記録保持する符号化手段６０８と、前記符号化手段６０８により符号化された符号化データを復号する復号化手段６０９とを有している。
【０１１１】
前記記憶手段１０１には、入力されたデータが記録保存されると共に、その入力データに対する付加情報が記憶される。本実施形態では、データとしては画像データ、付加情報としては前記画像データの記録時期（タイムスタンプ）が記憶されている。
【０１１２】
このように構成された本発明の実施形態６の記録装置について、その動作を説明する。
【０１１３】
記録装置１００に入力された画像データは、前記符号化手段６０８により、符号化され、符号データとして、タイムスタンプと共に、前記記憶手段１０１にファイルとして格納される。
【０１１４】
前記残量検出手段１０２にて検出される前記記憶手段１０１の残り容量が所定値を下回ると、前記制御手段１０３は、既に記憶されている符号化データの中から、前記タイムスタンプに基づき優先順位付けを行い、一番タイムスタンプの古い符号化データを前記復号化手段６０９により復号し、復号画像データとした後、再度、前記符号化手段６０８により、元の符号データのサイズよりも小さくなるように、再度符号化を行い、前記記憶手段１０１へ上書きすることにより空き容量を確保し、この生じた空き容量に入力画像データに割り当てる。
【０１１５】
例えば、図５における画像データＡ〜Ｄの４つのファイルについて、現在記録中又は記録しようとしている画像データを画像データをＤ、既に記録されている画像データを画像データＡ〜Ｃとする。画像データＡ〜Ｃについては、画像データＡが記録された時期が一番古く、画像データＢが二番目に古く、画像データＣが一番新しい画像データであるとする。この場合は、画像データＤの記録のために、一番古い画像データＡを復号した後、元の符号化データのサイズよりも小さくなるように、再度符号化して書き戻すことにより、記憶手段１０１に記憶可能領域を確保し、画像データＤを記録する。画像データＡを削除しても、まだ画像データＤの記録に必要な空き容量が足りない場合は、二番目に古い画像データＢを削除する。
【０１１６】
以上のように、本実施形態６によれば、現在画像データを記録中又は記録しようとしている時に、前記記憶手段１０１の書き込み可能な残り容量が少なくなると、制御手段１０３により、付加情報として記録されているタイムスタンプを用い、古い画像データから自動的にデータサイズが元のサイズより小さくなるように再符号化して上書きし、空いた領域に現在記録中又は記録しようとしている画像ファイルを記録して行くように前記記憶手段１０１を制御するようにしたので、継続的に空き容量を確保できるようになる。その結果、容量不足により現在記録中又は記録しようとしている画像データを記録し損ねることを防ぐことが可能になる。
【０１１７】
これは、例えば、画像や映像を記録するカメラ装置やムービー装置では、そのユーザーにとって、古い時期に記録された画像データは、既に一度は見たことがあって不要になっていたり、別のメディアに保存用としてコピーされている確率が高い場合に、記憶手段１０１の空き容量が少なくなっている状態で、決定的瞬間の記録のような、とっさの画像記録の必要性が発生した場合に、現在記録中又は記録しようとしている画像データの記録を最優先する場合に非常に有効である。
【０１１８】
また、画像や映像を記録するレコーダー装置でも、同様にそのユーザーにとって、古い時期に記録された画像データは、既に一度は見たことがあって不要になっていたり、別のメディアに保存用としてコピーされている確率が高い場合に、記憶手段１０１の空き容量が少なくなっている状態で、録画予約していない現在放送中の番組において決定的瞬間の録画ような、とっさの画像記録の必要性が発生した場合に、現在録画しようとしている番組の記録を最優先する場合に非常に有効である。
【０１１９】
尚、本実施形態における画像データは動画、静止画を問わず有効である。また、本実施形態は、一番古いタイムスタンプから削除していく場合について述べたが、一番新しいタイムスタンプの画像データから削除していくようにしても良いし、所定期間内に記録された画像データを優先的に古い順又は新しい順に削除して行くようにしても良いし、所定期間内に記録された画像データは保護し、それ以外の画像データについて優先的に古い順又は新しい順に削除して行くようにしても良い。
【０１２０】
また、ファイルを削除して容量を確保するタイミングは、記憶手段１０１の残り容量が所定値より小さくなった時点であるので、新たな画像データの記録前でも、記録途中でも良いことは言うまでもない。
【０１２１】
更に、符号化手段６０８により元のデータのサイズよりも小さくするには、ビットレートが小さくなるように再符号化制御しても良いし、元の量子化値よりも大きな値で量子化されるように再符号化制御しても良いし、元のキーフレーム間隔よりも大きくなるように再符号化制御しても良いし、元の画像サイズより小さい画像サイズになるように再符号化制御しても良い。
【０１２２】
加えて、本実施形態では、予め、深夜などのレコーダ装置の不使用時に、制御手段１０３は、記憶手段１０１の空き容量を検出しておき、この空き容量が翌日以降の番組予約状況等により所定容量未満であると判断すれば、既述の優先順位に従って符号化データを復号し、再度、その復号データを小容量で記録保存できるように再符号化しておいても良い。また、番組予約時に、ユーザーに対して、優先度の低いデータを提示して、削除又は再符号化を促すようにしても良いことは言うまでもない。
【０１２３】
また、本実施形態では、図１に示した記録装置に対して、符号化手段６０８と復号化手段６０９とを付加した構成としたが、その他、図２、図３又は図４の記録装置に対して符号化手段６０８と復号化手段６０９とを付加した構成としても良いのは、勿論である。
【０１２４】
尚、本発明は、以上で説明した実施形態に限定されない。例えば、図１の記録装置１００において、記憶手段１０１を第１の記憶手段として、追加の第２の記憶手段を設けておき、残量検出手段１０２により検出された第１の記憶手段１０１の空き容量が予め設定した所定値を下回った際には、制御手段１０３は、第１の記憶手段１０１内の記録保持データに上書きせず、記録対象を第１の記憶手段１０１から前記追加した第２の記憶手段に切り替えても良い。この場合には、制御手段１０３は第１の記憶手段１０１内の記録保持データに上書きしないので、付加情報としてのタイムスタンプＡ〜Ｄに基づいて各記録保持データに優先順位を付ける必要はない。
【０１２５】
更に、他の変形として、例えば、図１の記録装置１００において、記憶手段１０１を第１の記憶手段として、追加の第２の記憶手段を設けておき、残量検出手段１０２により検出された第１の記憶手段１０１の空き容量が予め設定した所定値を下回った際には、制御手段１０３は、付加情報としてのタイムスタンプＡ〜Ｄに基づいて各記録保持データに優先順位を付け、その後、この優先順位の低い順番の記録保持データから、その記録保持データを前記追加した前記第２の記憶手段に退避移動することにより、第１の記憶手段１０１に空き容量を確保して、この空き領域への書き込みにより、入力データの記録を続行するようにしても良い。
【産業上の利用可能性】
【０１２６】
以上説明したように、本発明は、記憶手段の空き容量が少なくなっている状態で、決定的瞬間の記録のような、とっさの画像記録の必要性が発生した場合も、現在記録中又は記録しようとしている画像データを最優先して記録できるので、記憶手段を有するビデオデコーダやデジタルビデオカメラ、デジタルスチルカメラ等として有用である。
【図面の簡単な説明】
【０１２７】
【図１】本発明の実施形態１における記憶装置の全体概略構成を示す図である。
【図２】本発明の実施形態２における記憶装置の全体概略構成を示す図である。
【図３】本発明の実施形態３における記憶装置の全体概略構成を示す図である。
【図４】本発明の実施形態４における記憶装置の全体概略構成を示す図である。
【図５】本発明の実施形態５における記憶装置の全体概略構成を示す図である。
【図６】本発明の実施形態６における記憶装置の全体概略構成を示す図である。
【符号の説明】
【０１２８】
１００、２００、３００、４００、５００、６００    記録装置
１０１                             記憶手段
１０２                             残量検出手段
１０３、２０３、３０３、４０３、５０３、６０３    制御手段
２０４、３０４、４０４、５０４              付加情報生成手段
２０５                             優先度指定ボタン（優先度ボタン）
３０５                             番組情報取得部
３０６                             情報入力端子
４０５                             音声レベル検出手段
５０７                             コピー媒体
６０８                             符号化手段
６０９                             復号化手段
【図１】
2008204568.tif 000003
【図２】
2008204568.tif 000004
【図３】
2008204568.tif 000005
【図４】
2008204568.tif 000006
【図５】
2008204568.tif 000007
【図６】
2008204568.tif 000008